(57)【要約】【課題】非透過型ヘッドマウントデバイスに装着されて使用される通信端末に対してユーザーによる情報の入力が容易な方法を提供する。【解決手段】ＨＭＤシステムを構成する通信端末が実行する処理は、通信端末がＨＭＤに装着される前に、３６０度動画を配信するサービスを提供するウェブサイトのユーザーアカウントにログインするためのパスワードの入力を受け付けるステップ（Ｓ１０１０）と、サーバからログインキーを受信するステップ（Ｓ１０４０）と、パスワードが入力された通信端末がＨＭＤに装着された後にＨＭＤモードで第２アプリケーション１００２を起動するステップ（Ｓ１０５０）と、ログインボタンが注視されていることに応答して、ユーザー情報とログインキーとをサーバに送信するステップ（Ｓ１０６０）と、ＨＭＤモードでコンテンツの視聴を開始するステップ（Ｓ１０８０）とを含む。【選択図】図１０
2018063704.tif 000002
【特許請求の範囲】
【請求項１】
ヘッドマウントデバイスを用いてコンテンツを提供するアプリケーションへの入力を支援するための方法であって、
前記アプリケーションにログインするための画面を表示する端末が、前記アプリケーションのユーザによるユーザ識別情報の入力を受け付けるステップと、
前記ユーザ識別情報を用いた認証が成功した場合に、前記アプリケーションによるコンテンツ提供サービスにログインするためのログインキーを受信するステップと、
前記ヘッドマウントデバイスを装着した前記ユーザが、前記ログインキーを用いたログイン指示を入力したことに基づいて、前記コンテンツを管理するサーバに、前記ログインキーを送信するステップと、
前記ログインキーを用いた認証が成功したと前記サーバによって判断されたことに基づいて、ヘッドマウントディスプレイモードで視聴可能なコンテンツを前記サーバから受信するステップとを含む、方法。
【請求項２】
前記ログインキーを受信するステップは、
前記ユーザ識別情報の入力を受け付けた前記端末が、前記ログインキーの発行要求を前記サーバに送信することと、
前記発行要求に応答した前記サーバから前記ログインキーを受信することとを含む、請求項１に記載の方法。
【請求項３】
前記ログインキーを受信するステップは、前記端末が前記ログインキーを受信することを含み、
前記方法は、
前記ヘッドマウントデバイスに装着された前記端末が前記コンテンツを表示するステップをさらに含む、請求項１または２に記載の方法。
【請求項４】
前記ログインキーを受信するステップは、前記ヘッドマウントデバイスが前記ログインキーを受信することを含み、
前記方法は、
前記ヘッドマウントデバイスが前記コンテンツを表示するステップをさらに含む、請求項１または２に記載の方法。
【請求項５】
前記ユーザ識別情報の入力を受け付けるステップは、前記ヘッドマウントデバイスが前記ユーザに装着される前に、前記ユーザ識別情報の入力を受け付けることを含む、請求項１〜４のいずれかに記載の方法。
【請求項６】
請求項１〜５のいずれかに記載の方法をコンピュータに実行させる、プログラム。
【請求項７】
請求項６に記載のプログラムを格納したメモリと、
前記プログラムを実行するためのプロセッサとを備える、コンテンツ表示装置。
【発明の詳細な説明】
【技術分野】
【０００１】
本開示は、通信端末への入力に関し、より特定的には、ヘッドマウントデバイス（Head-Mounted  Device）と共に用いられる通信端末への入力に関する。
【背景技術】
【０００２】
頭部に装着可能な機器を用いてユーザー認証を行ない画像を表示する技術が知られている。例えば、特開２０１４−０９２９４０号公報（特許文献１）は、「頭部又は顔部に装着したユーザーの認証処理を、より簡易で安価な手段を用いて実現する」ための技術を開示している。特許文献１によると、「動作入力部６０１は、ユーザーの顔側に向けられた内側カメラや、装着したユーザーの頭部又は顔部に接触して筋電位や眼電位を検出する筋電センサー、眼電センサーを用いて、ユーザーの注視位置や注視点の移動を検出する。ユーザー判別・認証部６０２は、ユーザーの注視位置や注視点の移動からなる動作パターンを用い、あらかじめ保持されている注視位置や注視点の移動パターンとの一致度に基づいて、ユーザーの判別や認証処理を行なうことができる。」というものである（［要約］参照）。
【０００３】
また、特開２０１６−０９９７０２号公報（特許文献２）は、「使用中のメガネ型デバイス（ウェアラブルデバイス）の利用者がスマートフォンを操作する場合にスマートフォンの認証に対する操作負担を軽減させる」ための技術を開示している（［要約］参照）。
【先行技術文献】
【特許文献】
【０００４】
【特許文献１】特開２０１４−０９２９４０号公報
【特許文献２】特開２０１６−０９９７０２号公報
【発明の概要】
【発明が解決しようとする課題】
【０００５】
特許文献１に開示された技術によると、ユーザーがパスワード等を入力する場合には、注視点を移動させるために、その都度首を振る必要がある。入力内容によっては、その動作が煩わしくなる場合がある。特許文献２に開示された技術は、眼鏡型デバイスのように透過型の装置に適用できても、非透過型のヘッドマウントデバイスには適用できない。したがって、ユーザーによる煩雑な操作を必要とせず、また、非透過型のヘッドマウントデバイスに適用可能な技術が必要とされている。
【０００６】
本開示は上述のような問題点を解決するためになされたものであって、ある局面における目的は、非透過型のヘッドマウントデバイスにおいてもユーザーによる入力が容易な方法を提供することである。他の局面における目的は、非透過型のヘッドマウントデバイスにおいてもユーザーによる入力が容易になるようにコンピュータを制御するためのプログラムを提供することである。さらに他の局面における目的は、非透過型のヘッドマウントデバイスにおいてもユーザーによる入力が容易になる装置を提供することである。
【課題を解決するための手段】
【０００７】
ある実施の形態に従うと、ヘッドマウントデバイスを用いてコンテンツを提供するアプリケーションへの入力を支援するための方法が提供される。この方法は、アプリケーションにログインするための画面を表示する端末が、アプリケーションのユーザーによるユーザー識別情報の入力を受け付けるステップと、ユーザー識別情報を用いた認証が成功した場合に、アプリケーションによるコンテンツ提供サービスにログインするためのログインキーを受信するステップと、ヘッドマウントデバイスを装着したユーザーの視線を検出するステップと、視線がログインキーを用いたログイン指示を受け付けるログインボタンを視認していることに基づいて、コンテンツを管理するサーバに、ログインキーを送信するステップと、ログインキーを用いた認証が成功したとサーバによって判断されたことに基づいて、ヘッドマウントディスプレイモードで視聴可能なコンテンツをサーバから受信するステップとを含む。
【０００８】
他の実施の形態に従うと、上記の方法をコンピュータに実行させるプログラムが提供される。
【０００９】
さらに他の実施の形態に従うと、上記のプログラムを格納したメモリと、当該プログラムを実行するためのプロセッサとを備えるコンテンツ表示装置が提供される。
【００１０】
開示される技術的特徴の上記および他の目的、特徴、局面および利点は、添付の図面と関連して理解されるこの開示に関する次の詳細な説明から明らかとなるであろう。
【図面の簡単な説明】
【００１１】
【図１】ある実施の形態に従うＨＭＤシステム１００の構成の概略を表す図である。
【図２】通信端末２００のハードウェア構成を表わすブロック図である。
【図３】ある局面に従うサーバ１５０のハードウェア構成を表わすブロック図である。
【図４】ある実施の形態に従うＨＭＤ１１０に設定されるｕｖｗ視野座標系を概念的に表す図である。
【図５】ある実施の形態に従う仮想空間２を表現する一態様を概念的に表す図である。
【図６】ある実施の形態に従うＨＭＤ１１０を装着するユーザー１９０の頭部を上から表した図である。
【図７】仮想空間２において視界領域２３をＸ方向から見たＹＺ断面を表す図である。
【図８】仮想空間２において視界領域２３をＹ方向から見たＸＺ断面を表す図である。
【図９】、サーバ１５０によって実現される機能の構成の一態様を表すブロック図である。
【図１０】ＨＭＤシステム１００を構成するサーバ１５０と通信端末２００とにおいて実行される処理の一部を表すフローチャートである。
【図１１】ある実施の形態においてモニタ３５が表示する画面の遷移の一例を表す図である。
【図１２】ある実施の形態においてモニタ３５が表示する画面の遷移の一例を表す図である。
【図１３】ある実施の形態においてモニタ３５が表示する画面の遷移の一例を表す図である。
【図１４】ある実施の形態においてモニタ３５が表示する画面の遷移の一例を表す図である。
【図１５】別の局面におけるある実施の形態に従って通信端末２００とＨＭＤ１５００とサーバ１５０とによって実行される処理を表すフローチャートである。
【発明を実施するための形態】
【００１２】
以下、図面を参照しつつ、開示された技術思想の実施の形態について説明する。以下の説明では、同一の部品には同一の符号を付してある。それらの名称および機能も同じである。したがって、それらについての詳細な説明は繰り返さない。
【００１３】
図１を参照して、ある実施の形態に従うＨＭＤ（Head-Mounted  Device）システム１００について説明する。図１は、ある実施の形態に従うＨＭＤシステム１００の構成の概略を表す図である。ある局面において、ＨＭＤシステム１００は、家庭用のシステムとしてあるいは業務用のシステムとして提供される。なお、本実施の形態において、ＨＭＤとは、モニタを備える所謂ヘッドマウントディスプレイと、スマートホンその他のモニタを有する端末を装着可能なヘッドマウント機器のいずれをも含み得る。
【００１４】
ＨＭＤシステム１００は、ＨＭＤ１１０と、サーバ１５０とを備える。ＨＭＤ１１０は、センサ１１４と、注視センサ１４０とを含む。さらに、ＨＭＤ１１０には、通信端末２００が装着され得る。通信端末２００は、基地局１８と通信する。基地局１８はインターネット１９を介してサーバ１５０に接続されている。
【００１５】
ＨＭＤ１１０は、ユーザーの頭部に装着され、動作中に仮想空間をユーザーに提供し得る。より具体的には、ＨＭＤ１１０は、右目用の画像および左目用の画像をスマートフォンのモニタにそれぞれ表示する。ユーザーの各目がそれぞれの画像を視認すると、ユーザーは、両目の視差に基づき当該画像を３次元の画像として認識し得る。
【００１６】
ある局面において、通信端末２００のモニタがユーザーの両目の前方に位置するように、通信端末２００は、ＨＭＤ１１０の本体に装着され得る。したがって、ユーザーは、モニタに表示される３次元画像を視認すると、仮想空間に没入することができる。ある実施の形態において、仮想空間は、例えば、背景、ユーザーが操作可能なオブジェクト、ユーザーが選択可能なメニューの画像、あるいは、サーバ１５０によって配信される動画像等を含む。ある実施の形態において、モニタは、液晶モニタまたは有機ＥＬ（Electro  Luminescence）モニタとして実現され得る。
【００１７】
ある局面において、モニタは、右目用の画像を表示するためのサブモニタと、左目用の画像を表示するためのサブモニタとを含み得る。別の局面において、モニタは、右目用の画像と左目用の画像とを一体として表示する構成であってもよい。この場合、モニタは、高速シャッタを含む。高速シャッタは、画像がいずれか一方の目にのみ認識されるように、右目用の画像と左目用の画像とを交互に表示可能に作動する。
【００１８】
ある局面において、センサ１１４は、ＨＭＤセンサ（図示しない）と同様に、ＨＭＤ１１０の動きを検出するためのポジショントラッキング機能を有する。センサ１１４は、ＨＭＤ１１０自身の位置および傾きを検出し得る。例えば、センサ１１４が角速度センサ、地磁気センサ、加速度センサ、あるいはジャイロセンサ等である場合、ＨＭＤ１１０は、ＨＭＤセンサの代わりに、これらの各センサのいずれかを用いて、自身の位置および傾きを検出し得る。一例として、センサ１１４が角速度センサである場合、角速度センサは、現実空間におけるＨＭＤ１１０の３軸周りの角速度を経時的に検出する。ＨＭＤ１１０は、各角速度に基づいて、ＨＭＤ１１０の３軸周りの角度の時間的変化を算出し、さらに、角度の時間的変化に基づいて、ＨＭＤ１１０の傾きを算出する。また、ＨＭＤ１１０は、透過型表示装置を備えていても良い。この場合、当該透過型表示装置は、その透過率を調整することにより、一時的に非透過型の表示装置として構成可能であってもよい。また、視野画像は仮想空間を構成する画像の一部に、現実空間を提示する構成を含んでいてもよい。例えば、ＨＭＤ１１０に搭載されたカメラで撮影した画像を視野画像の一部に重畳して表示させてもよいし、当該透過型表示装置の一部の透過率を高く設定することにより、視野画像の一部から現実空間を視認可能にしてもよい。
【００１９】
注視センサ１４０は、ユーザー１９０の右目および左目の視線が向けられる方向（視線方向）を検出する。当該方向の検出は、例えば、公知のアイトラッキング機能によって実現される。注視センサ１４０は、当該アイトラッキング機能を有するセンサにより実現される。ある局面において、注視センサ１４０は、右目用のセンサおよび左目用のセンサを含むことが好ましい。注視センサ１４０は、例えば、ユーザー１９０の右目および左目に赤外光を照射するとともに、照射光に対する角膜および虹彩からの反射光を受けることにより各眼球の回転角を検出するセンサであってもよい。注視センサ１４０は、検出した各回転角に基づいて、ユーザー１９０の視線方向を検知することができる。
【００２０】
サーバ１５０は、インターネット１９を介して、通信端末２００と通信する。ある局面において、サーバ１５０は、通信端末２００に動画を配信する。例えば、ユーザー１９０は、通信端末２００をＨＭＤ１１０に装着する前に、動画の配信を受けるためのサービスへのログイン操作を行なう。このログイン操作は、通信端末２００へのタッチ操作のように、通常の操作として実現される。
【００２１】
サーバ１５０は、通信端末２００その他の情報通信端末と通信し、当該情報通信端末からの要求に応じてデータを送信する。送信されるデータは、動画像、静止画像、音声その他のコンテンツデータを含み得る。動画像は一方向から見た動画像、３６０度から見た動画像等を含み得る。
【００２２】
図２を参照して、ある実施の形態に従う通信端末２００の構成について説明する。図２は、通信端末２００のハードウェア構成を表わすブロック図である。
【００２３】
通信端末２００は、ＣＰＵ（Central  Processing  Unit）２０と、アンテナ４３と、通信装置４４と、入力スイッチ４５と、カメラ４６と、フラッシュメモリ２７と、ＲＡＭ（Random  Access  Memory）２８と、ＲＯＭ（Read-Only  Memory）２９と、メモリカード駆動装置３０と、マイク３２と、スピーカ３３と、音声信号処理回路３４と、モニタ３５と、ＬＥＤ（Light  Emitting  Diode）３６と、通信インターフェイス３７と、バイブレータ３８と、ＧＰＳアンテナ３９と、ＧＰＳモジュール４０と、加速度センサ４１と、地磁気センサ４２とを備える。メモリカード駆動装置３０には、メモリカード３１が装着され得る。
【００２４】
アンテナ４３は、基地局によって発信される信号を受信し、または、基地局を介して他の通信装置と通信するための信号を送信する。アンテナ４３によって受信された信号は、通信装置４４によってフロントエンド処理が行なわれ、処理後の信号は、ＣＰＵ２０に送られる。
【００２５】
ＣＰＵ２０は、通信端末２００に対して与えられる命令に基づいて通信端末２００の動作を制御するための処理を実行する。通信端末２００が信号を受信すると、ＣＰＵ２０は、通信装置４４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００２６】
入力スイッチ４５は、通信端末２００に対する命令の入力を受け付ける。入力スイッチ４５は、モニタ３５に設けられるタッチセンサ、通信端末２００の筐体に設けられたボタン等により実現される。入力された命令に応じた信号は、ＣＰＵ２０に入力される。
【００２７】
マイク３２は、通信端末２００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置４４に対して送出する。通信装置４４は、そのデータを用いて送信用の信号を生成し、アンテナ４３に向けてその信号を送出する。
【００２８】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００２９】
ＲＡＭ２８は、入力スイッチ４５に対して行なわれた操作に基づいてＣＰＵ２０によって生成されるデータを一時的に保持する。ＲＯＭ２９は、通信端末２００に予め定められた動作を実行させるためのプログラムあるいはデータを格納している。ＣＰＵ２０は、ＲＯＭ２９から当該プログラムまたはデータを読み出し、通信端末２００の動作を制御する。
【００３０】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の記憶領域に書き込む。
【００３１】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００３２】
モニタ３５は、タッチ操作式のモニタであるが、タッチ操作を受け付ける機構は特に限られない。モニタ３５は、ＣＰＵ２０から取得されるデータに基づいて、当該データによって規定される画像を表示する。たとえば、モニタ３５は、ＲＡＭ２８にダウンロードされたデータに基づいて、通信端末２００のユーザーの左目用と右目用のコンテンツを表示する。コンテンツは、静止画、動画、地図などを含み得る。
【００３３】
ＬＥＤ３６は、ＣＰＵ２０から出力される信号に基づいて発光する。ある局面において、通信インターフェイス３７は、ＷｉＦｉ、Bluetooth（登録商標）、ＮＦＣ（Near  Field  Communication）等により実現される。別の局面において、通信インターフェイス３７は、データ通信用のケーブルの装着を受け付ける。通信インターフェイス３７は、ＣＰＵ２０から出力される信号を発信する。あるいは、通信インターフェイス３７は、通信端末２００の外部から受信した信号に含まれるデータを、ＣＰＵ２０に対して送信する。
【００３４】
バイブレータ３８は、ＣＰＵ２０から出力される信号に基づいて、予め定められた周波数で発振動作を実行する。
【００３５】
ＧＰＳアンテナ３９は、４つ以上の衛星からそれぞれ送信されるＧＰＳ信号を受信する。受信された各ＧＰＳ信号は、ＧＰＳモジュール４０に入力される。ＧＰＳモジュール４０は、各ＧＰＳ信号と公知の技術とを用いて測位処理を実行し、通信端末２００の位置情報を取得する。
【００３６】
加速度センサ４１は、通信端末２００に作用する加速度を検出する。ある局面において、加速度センサ４１は、３軸加速度センサとして実現される。検出された加速度は、ＣＰＵ２０に入力される。ＣＰＵ２０は、この加速度に基づいて、通信端末２００の動きや姿勢（傾き）を検出する。
【００３７】
地磁気センサ４２は、通信端末２００が向いている方角を検出する。この検出により取得された情報は、ＣＰＵ２０に入力される。
【００３８】
［サーバ１５０のハードウェア構成］
【００３９】
図３を参照して、サーバ１５０の構成について説明する。図３は、ある局面に従うサーバ１５０のハードウェア構成を表わすブロック図である。サーバ１５０は、例えば、拡張現実を実現するために予め定められた地域において利用可能なアプリケーションプログラムを提供する事業者によって運営される。
【００４０】
サーバ１５０は、主たる構成要素として、プログラムを実行するＣＰＵ（Central  Processing  Unit）１と、サーバ１５０のユーザーによる指示の入力を受けるマウス３０２およびキーボード３０３と、ＣＰＵ３０１によるプログラムの実行により生成されたデータ、又はマウス３０２若しくはキーボード３０３を介して入力されたデータを揮発的に格納するＲＡＭ３０４と、データを不揮発的に格納するハードディスク３０５と、光ディスク駆動装置３０６と、モニタ３０８と、通信インターフェイス３０７とを備える。各構成要素は、相互にバスによって接続されている。光ディスク駆動装置３０６には、ＣＤ−ＲＯＭ３０９その他の光ディスクが装着される。通信インターフェイス３０７は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００４１】
サーバ１５０における処理は、各ハードウェアおよびＣＰＵ３０１により実行されるソフトウェアによって実現される。このようなソフトウェアは、ハードディスク３０５に予め格納されている場合がある。また、ソフトウェアは、ＣＤ−ＲＯＭ３０９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置３０６その他のデータ読取装置によってデータ記録媒体から読み取られて、あるいは、通信インターフェイス３０７を介してダウンロードされた後、ハードディスク３０５に一旦格納される。そのソフトウェアは、ＣＰＵ３０１によってハードディスク３０５から読み出され、ＲＡＭ３０４に実行可能なプログラムの形式で格納される。ＣＰＵ３０１は、そのプログラムを実行する。
【００４２】
図３に示されるサーバ１５０を構成する各構成要素は、一般的なものである。したがって、本実施の形態に係る最も本質的な部分は、サーバ１５０に格納されたプログラムであるともいえる。サーバ１５０の各ハードウェアの動作は周知であるので、詳細な説明は繰り返さない。
【００４３】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００４４】
ここでいうプログラムとは、ＣＰＵ３０１により直接実行可能なプログラムだけでなく、ソースプログラム形式のプログラム、圧縮処理されたプログラム、暗号化されたプログラム等を含み得る。
【００４５】
［ｕｖｗ視野座標系］
【００４６】
図４を参照して、ｕｖｗ視野座標系について説明する。図４は、ある実施の形態に従うＨＭＤ１１０に設定されるｕｖｗ視野座標系を概念的に表す図である。センサ１１４は、ＨＭＤ１１０の起動時に、グローバル座標系におけるＨＭＤ１１０の位置および傾きを検出する。プロセッサ１０は、検出された値に基づいて、ｕｖｗ視野座標系をＨＭＤ１１０に設定する。
【００４７】
図４に示されるように、ＨＭＤ１１０は、ＨＭＤ１１０を装着したユーザーの頭部を中心（原点）とした３次元のｕｖｗ視野座標系を設定する。より具体的には、ＨＭＤ１１０は、グローバル座標系を規定する水平方向、鉛直方向、および前後方向（ｘ軸、ｙ軸、ｚ軸）を、グローバル座標系内においてＨＭＤ１１０の各軸周りの傾きだけ各軸周りにそれぞれ傾けることによって新たに得られる３つの方向を、ＨＭＤ１１０におけるｕｖｗ視野座標系のピッチ方向（ｕ軸）、ヨー方向（ｖ軸）、およびロール方向（ｗ軸）として設定する。
【００４８】
ある局面において、ＨＭＤ１１０を装着したユーザー１９０が直立し、かつ、正面を視認している場合、プロセッサ１０は、グローバル座標系に平行なｕｖｗ視野座標系をＨＭＤ１１０に設定する。この場合、グローバル座標系における水平方向（ｘ軸）、鉛直方向（ｙ軸）、および前後方向（ｚ軸）は、ＨＭＤ１１０におけるｕｖｗ視野座標系のピッチ方向（ｕ軸）、ヨー方向（ｖ軸）、およびロール方向（ｗ軸）に一致する。
【００４９】
ｕｖｗ視野座標系がＨＭＤ１１０に設定された後、センサ１１４は、ＨＭＤ１１０の動きに基づいて、設定されたｕｖｗ視野座標系におけるＨＭＤ１１０の傾き（傾きの変化量）を検出できる。この場合、センサ１１４は、ＨＭＤ１１０の傾きとして、ｕｖｗ視野座標系におけるＨＭＤ１１０のピッチ角（θｕ）、ヨー角（θｖ）、およびロール角（θｗ）をそれぞれ検出する。ピッチ角（θｕ）は、ｕｖｗ視野座標系におけるピッチ方向周りのＨＭＤ１１０の傾き角度を表す。ヨー角（θｖ）は、ｕｖｗ視野座標系におけるヨー方向周りのＨＭＤ１１０の傾き角度を表す。ロール角（θｗ）は、ｕｖｗ視野座標系におけるロール方向周りのＨＭＤ１１０の傾き角度を表す。
【００５０】
センサ１１４は、検出されたＨＭＤ１１０の傾き角度に基づいて、ＨＭＤ１１０が動いた後のＨＭＤ１１０におけるｕｖｗ視野座標系を、ＨＭＤ１１０に設定する。ＨＭＤ１１０と、ＨＭＤ１１０のｕｖｗ視野座標系との関係は、ＨＭＤ１１０の位置および傾きに関わらず、常に一定である。ＨＭＤ１１０の位置および傾きが変わると、当該位置および傾きの変化に連動して、グローバル座標系におけるＨＭＤ１１０のｕｖｗ視野座標系の位置および傾きが変化する。
【００５１】
ある局面において、センサ１１４は、赤外線センサからの出力に基づいて取得される赤外線の光強度および複数の点間の相対的な位置関係（例えば、各点間の距離など）に基づいて、ＨＭＤ１１０の現実空間内における位置を、センサ１１４に対する相対位置として特定してもよい。また、プロセッサ１０は、特定された相対位置に基づいて、現実空間内（グローバル座標系）におけるＨＭＤ１１０のｕｖｗ視野座標系の原点を決定してもよい。
【００５２】
［仮想空間］
【００５３】
図５を参照して、仮想空間についてさらに説明する。図５は、ある実施の形態に従う仮想空間２を表現する一態様を概念的に表す図である。仮想空間２は、中心２１の３６０度方向の全体を覆う全天球状の構造を有する。図４では、説明を複雑にしないために、仮想空間２のうちの上半分の天球が例示されている。仮想空間２では各メッシュが規定される。各メッシュの位置は、仮想空間２に規定されるＸＹＺ座標系における座標値として予め規定されている。サーバ１５０は、仮想空間２に展開可能なコンテンツ（静止画、動画等）を構成する各部分画像を、仮想空間２において対応する各メッシュにそれぞれ対応付けて、ユーザーによって視認可能な仮想空間画像２２が展開される仮想空間２をユーザーに提供する。
【００５４】
ある局面において、仮想空間２では、中心２１を原点とするＸＹＺ座標系が規定される。ＸＹＺ座標系は、例えば、グローバル座標系に平行である。ＸＹＺ座標系は視点座標系の一種であるため、ＸＹＺ座標系における水平方向、鉛直方向（上下方向）、および前後方向は、それぞれＸ軸、Ｙ軸、Ｚ軸として規定される。したがって、ＸＹＺ座標系のＸ軸（水平方向）がグローバル座標系のｘ軸と平行であり、ＸＹＺ座標系のＹ軸（鉛直方向）がグローバル座標系のｙ軸と平行であり、ＸＹＺ座標系のＺ軸（前後方向）がグローバル座標系のｚ軸と平行である。
【００５５】
ＨＭＤ１１０の起動時、すなわちＨＭＤ１１０の初期状態において、仮想カメラ１が、仮想空間２の中心２１に配置される。仮想カメラ１は、現実空間におけるＨＭＤ１１０の動きに連動して、仮想空間２を同様に移動する。これにより、現実空間におけるＨＭＤ１１０の位置および向きの変化が、仮想空間２において同様に再現される。
【００５６】
仮想カメラ１には、ＨＭＤ１１０の場合と同様に、ｕｖｗ視野座標系が規定される。仮想空間２における仮想カメラのｕｖｗ視野座標系は、現実空間（グローバル座標系）におけるＨＭＤ１１０のｕｖｗ視野座標系に連動するように規定されている。したがって、ＨＭＤ１１０の傾きが変化すると、それに応じて、仮想カメラ１の傾きも変化する。また、仮想カメラ１は、ＨＭＤ１１０を装着したユーザーの現実空間における移動に連動して、仮想空間２において移動することもできる。
【００５７】
仮想カメラ１の向きは、仮想カメラ１の位置および傾きに応じて決まるので、ユーザーが仮想空間画像２２を視認する際に基準となる視線（基準視線５）は、仮想カメラ１の向きに応じて決まる。サーバ１５０のプロセッサ１０は、基準視線５に基づいて、仮想空間２における視界領域２３を規定する。視界領域２３は、仮想空間２のうち、ＨＭＤ１１０を装着したユーザーの視界に対応する。
【００５８】
注視センサ１４０によって検出されるユーザー１９０の視線方向は、ユーザー１９０が物体を視認する際の視点座標系における方向である。ＨＭＤ１１０のｕｖｗ視野座標系は、ユーザー１９０がモニタ３５を視認する際の視点座標系に等しい。また、仮想カメラ１のｕｖｗ視野座標系は、ＨＭＤ１１０のｕｖｗ視野座標系に連動している。したがって、ある局面に従うＨＭＤシステム１００は、注視センサ１４０によって検出されたユーザー１９０の視線方向を、仮想カメラ１のｕｖｗ視野座標系におけるユーザーの視線方向とみなすことができる。
【００５９】
［ユーザーの視線］
【００６０】
図６を参照して、ユーザーの視線方向の決定について説明する。図６は、ある実施の形態に従うＨＭＤ１１０を装着するユーザー１９０の頭部を上から表した図である。
【００６１】
ある局面において、注視センサ１４０は、ユーザー１９０の右目および左目の各視線を検出する。ある局面において、ユーザー１９０が近くを見ている場合、注視センサ１４０は、視線Ｒ１およびＬ１を検出する。別の局面において、ユーザー１９０が遠くを見ている場合、注視センサ１４０は、視線Ｒ２およびＬ２を検出する。この場合、ロール方向ｗに対して視線Ｒ２およびＬ２がなす角度は、ロール方向ｗに対して視線Ｒ１およびＬ１がなす角度よりも小さい。注視センサ１４０は、検出結果をコンピュータに送信する。
【００６２】
コンピュータが、視線の検出結果として、視線Ｒ１およびＬ１の検出値を注視センサ１４０から受信した場合には、その検出値に基づいて、視線Ｒ１およびＬ１の交点である注視点Ｎ１を特定する。一方、サーバ１５０は、視線Ｒ２およびＬ２の検出値を注視センサ１４０から受信した場合には、視線Ｒ２およびＬ２の交点を注視点として特定する。サーバ１５０は、特定した注視点Ｎ１の位置に基づき、ユーザー１９０の視線方向Ｎ０を特定する。サーバ１５０は、例えば、ユーザー１９０の右目Ｒと左目Ｌとを結ぶ直線の中点と、注視点Ｎ１とを通る直線の延びる方向を、視線方向Ｎ０として検出する。視線方向Ｎ０は、ユーザー１９０が両目により実際に視線を向けている方向である。また、視線方向Ｎ０は、視界領域２３に対してユーザー１９０が実際に視線を向けている方向に相当する。
【００６３】
別の局面において、ＨＭＤシステム１００は、ＨＭＤシステム１００を構成するいずれかのパーツに、マイクおよびスピーカを備えてもよい。ユーザーは、マイクに発話することにより、仮想空間２に対して、音声による指示を与えることができる。
【００６４】
また、別の局面において、ＨＭＤシステム１００は、テレビジョン放送受信チューナを備えてもよい。このような構成によれば、ＨＭＤシステム１００は、仮想空間２においてテレビ番組を表示することができる。
【００６５】
さらに別の局面において、ＨＭＤシステム１００は、インターネットに接続するための通信回路、あるいは、電話回線に接続するための通話機能を備えていてもよい。
【００６６】
［視界領域］
【００６７】
図７および図８を参照して、視界領域２３について説明する。図７は、仮想空間２において視界領域２３をＸ方向から見たＹＺ断面を表す図である。図８は、仮想空間２において視界領域２３をＹ方向から見たＸＺ断面を表す図である。
【００６８】
図７に示されるように、ＹＺ断面における視界領域２３は、領域２４を含む。領域２４は、仮想カメラ１の基準視線５と仮想空間２のＹＺ断面とによって定義される。プロセッサ１０は、仮想空間おける基準視線５を中心として極角αを含む範囲を、領域２４として規定する。
【００６９】
図８に示されるように、ＸＺ断面における視界領域２３は、領域２５を含む。領域２５は、基準視線５と仮想空間２のＸＺ断面とによって定義される。プロセッサ１０は、仮想空間２における基準視線５を中心とした方位角βを含む範囲を、領域２５として規定する。
【００７０】
ある局面において、ＨＭＤシステム１００は、コンピュータからの信号に基づいて、視界画像２６をモニタ３５に表示させることにより、ユーザー１９０に仮想空間を提供する。視界画像２６は、仮想空間画像２２のうち視界領域２３に重畳する部分に相当する。ユーザー１９０が、頭に装着したＨＭＤ１１０を動かすと、その動きに連動して仮想カメラ１も動く。その結果、仮想空間２における視界領域２３の位置が変化する。これにより、モニタ３５に表示される視界画像２６は、仮想空間画像２２のうち、仮想空間２においてユーザーが向いた方向の視界領域２３に重畳する画像に更新される。ユーザーは、仮想空間２における所望の方向を視認することができる。
【００７１】
ユーザー１９０は、ＨＭＤ１１０を装着している間、現実世界を視認することなく、仮想空間２に展開される仮想空間画像２２のみを視認できる。そのため、ＨＭＤシステム１００は、仮想空間２への高い没入感覚をユーザーに与えることができる。
【００７２】
ある局面において、プロセッサ１０は、ＨＭＤ１１０を装着したユーザー１９０の現実空間における移動に連動して、仮想空間２において仮想カメラ１を移動し得る。この場合、プロセッサ１０は、仮想空間２における仮想カメラ１の位置および向きに基づいて、ＨＭＤ１１０のモニタ３５に投影される画像領域（すなわち、仮想空間２における視界領域２３）を特定する。
【００７３】
ある実施の形態に従うと、仮想カメラ１は、二つの仮想カメラ、すなわち、右目用の画像を提供するための仮想カメラと、左目用の画像を提供するための仮想カメラとを含むことが望ましい。また、ユーザー１９０が３次元の仮想空間２を認識できるように、適切な視差が、二つの仮想カメラに設定されていることが好ましい。本実施の形態においては、仮想カメラ１が二つの仮想カメラを含み、二つの仮想カメラのロール方向が合成されることによって生成されるロール方向（ｗ）がＨＭＤ１１０のロール方向（ｗ）に適合されるように構成されているものとして、本開示に係る技術思想を例示する。
【００７４】
［動画を配信するサーバ］
【００７５】
図９を参照して、ある実施の形態に従って動画を配信するサーバ１５０について説明する。図９は、サーバ１５０によって実現される機能の構成の一態様を表すブロック図である。ある局面において、サーバ１５０は、周知の構成を有するコンピュータによって実現される。
【００７６】
図９に示されるように、サーバ１５０は、表示制御モジュール２２０と、動画制御モジュール２３０と、メモリモジュール２４０と、通信制御モジュール２５０とを備える。表示制御モジュール２２０は、サブモジュールとして、仮想カメラ制御モジュール２２１と、視界領域決定モジュール２２２と、視界画像生成モジュール２２３と、基準視線特定モジュール２２４とを含む。
【００７７】
ある実施の形態において、表示制御モジュール２２０と動画制御モジュール２３０とは、プロセッサ１０によって実現される。別の実施の形態において、複数のプロセッサが表示制御モジュール２２０と動画制御モジュール２３０として協働してもよい。メモリモジュール２４０は、ＲＡＭ３０４、ハードディスク３０５等の記憶装置によって実現される。通信制御モジュール２５０は、通信インターフェイス３０７によって実現される。
【００７８】
ある局面において、表示制御モジュール２２０は、通信端末２００のモニタ３５に表示される画像を生成する。仮想カメラ制御モジュール２２１は、仮想空間２に仮想カメラ１を配置し、仮想カメラ１の挙動、向き等を制御する。視界領域決定モジュール２２２は、ＨＭＤ１１０を装着したユーザー１９０の頭の向きに応じて、視界領域２３を規定する。視界画像生成モジュール２２３は、決定された視界領域２３に基づいて、モニタ３５に表示される視界画像２６を生成する。基準視線特定モジュール２２４は、注視センサ１４０からの信号に基づいて、ユーザー１９０の視線を特定する。
【００７９】
動画制御モジュール２３０は、各ユーザーからの要求に応じて、動画の配信を制御する。より具体的には、ある局面において、動画制御モジュール２３０は、仮想空間定義モジュール２３１と、動画選択モジュール２３２と、認証モジュール２３３とを含む。
【００８０】
仮想空間定義モジュール２３１は、通信端末２００に提供される仮想空間を表示するためのデータを生成する。なお、配信される動画が現実空間に関するものである場合、仮想空間定義モジュール２３１は、３６０度の方向から現実空間を表示するためのデータを生成し得る。
【００８１】
動画選択モジュール２３２は、メモリモジュール２４０に保存されているコンテンツ情報２４１から、通信端末２００のユーザー１９０によって指定された動画像データを読み出す。
【００８２】
認証モジュール２３３は、通信端末２００から送られた認証情報と、ユーザー情報２４３とに基づいて、動画配信の要求が正当に登録されたユーザーからの要求であるか否かを判断する。
【００８３】
動画配信モジュール２３４は、認証モジュール２３３による認証の結果に応じて、コンテンツを特定のユーザーの通信端末に配信する。例えば、当該要求が正当なユーザーからの要求である場合には、動画配信モジュール２３４は、当該ユーザーによって指定されたコンテンツのデータを、当該ユーザーが使用している通信端末２００に送信する。通信端末２００は、そのデータを受信すると、そのデータに基づく動画を再生する。
【００８４】
メモリモジュール２４０は、各通信端末に対するコンテンツの提供サービスを実現するためのデータを保持している。ある局面において、メモリモジュール２４０は、コンテンツ情報２４１と、ユーザー情報２４３とを保持している。コンテンツ情報２４１は、ユーザーからの要求に応じて配信される一つ以上の画像データを含む。画像データは、動画像データおよび静止画像データのいずれもあり得る。
【００８５】
ユーザー情報２４３は、ＨＭＤシステム１００による画像の配信サービスを受けるために登録された各ユーザーのアカウント情報を含む。アカウント情報は、例えば、当該ユーザーの氏名、識別番号、パスワードその他の属性を含む。あるユーザーが配信サービスを受けるために、通信端末２００を介して予め定められたウェブサイトにアクセスして、アカウント情報を構成する各上記項目を入力すると、入力された各項目は、ユーザー情報２４３に保存される。
【００８６】
通信制御モジュール２５０は、インターネット１９を介して、通信端末２００その他の情報通信装置と通信し得る。
【００８７】
ある局面において、表示制御モジュール２２０または動画制御モジュール２３０は、例えば、ユニティテクノロジーズ社によって提供されるＵｎｉｔｙ（登録商標）を用いて実現され得る。別の局面において、表示制御モジュール２２０または動画制御モジュール２３０は、各処理を実現する回路素子の組み合わせとしても実現され得る。
【００８８】
サーバ１５０における処理は、ハードウェアと、プロセッサ１０により実行されるソフトウェアとによって実現される。このようなソフトウェアは、ハードディスク３０５、フラッシュメモリその他のメモリモジュール２４０に予め格納されている場合がある。また、ソフトウェアは、ＣＤ−ＲＯＭその他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置その他のデータ読取装置によってデータ記録媒体から読み取られて、あるいは、通信制御モジュール２５０を介してサーバ１５０その他のコンピュータからダウンロードされた後、記憶モジュールに一旦格納される。そのソフトウェアは、プロセッサ１０によって記憶モジュールから読み出され、実行可能なプログラムの形式でＲＡＭに格納される。プロセッサ１０は、そのプログラムを実行する。
【００８９】
サーバ１５０を構成するハードウェアは、一般的なものである。したがって、本実施の形態に係る最も本質的な部分は、サーバ１５０に格納されたプログラムであるともいえる。なお、サーバ１５０のハードウェアの動作は周知であるので、詳細な説明は繰り返さない。
【００９０】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する不揮発性のデータ記録媒体でもよい。
【００９１】
ここでいうプログラムとは、プロセッサ１０により直接実行可能なプログラムだけでなく、ソースプログラム形式のプログラム、圧縮処理されたプログラム、暗号化されたプログラム等を含み得る。
【００９２】
［制御構造］
【００９３】
図１０を参照して、ＨＭＤシステム１００の動作について説明する。図１０は、ＨＭＤシステム１００を構成するサーバ１５０と通信端末２００とにおいて実行される処理の一部を表すフローチャートである。
【００９４】
ステップＳ１０１０にて、通信端末２００のＣＰＵ２０は、通信端末２００のユーザー１９０による操作に基づいて又は予め規定された設定に基づいて、第１アプリケーション（ブラウザ）を起動する。この時点では、通信端末２００は、ＨＭＤ１１０に装着されていない。ＣＰＵ２０は、さらに、ユーザー１９０の操作に基づいて３６０度動画を配信するサービスを提供する画面をモニタ３５に表示する。さらに、ＣＰＵ２０は、当該サービスを提供するウェブサイトのユーザーアカウントにログインするためのパスワードの入力を受け付ける。ＣＰＵ２０は、入力されたパスワードを、通信回線を介してサーバ１５０に送信する。
【００９５】
ステップＳ１０１５にて、サーバ１５０のＣＰＵ３０１は、通信端末２００から受信したパスワードと、ユーザー情報２４３として登録されているパスワードとに基づいて、通信端末２００のユーザー１９０を認証する。通信端末２００のユーザー１９０がサーバ１５０に正当に登録されている場合、サーバ１５０は、ログインが完了したことを表すメッセージを通信端末２００に送信する。ユーザー１９０がサーバ１５０に正当に登録されていない場合、サーバ１５０は、ログインできなかったことを表すメッセージを通信端末２００に送信する。
【００９６】
ステップＳ１０２０にて、通信端末２００は、サーバ１５０からメッセージを受信すると、ログインが完了したことを表すメッセージをモニタ３５に表示する。
【００９７】
ステップＳ１０３０にて、通信端末２００は、ユーザーの操作に応答して、ログインキーの発行要求をサーバ１５０に送信する。ある局面において、ログインキーは、ＶＲアプリケーションを用いて動画配信サービスの提供を受けるために使用される。ログインキーは、たとえば、ＨＭＤ１１０で使用されるアプリケーションに入力される。サーバ１５０は、通信端末２００から発行要求を受信すると、ログインキーを通信端末２００に送信する。
【００９８】
ステップＳ１０４０にて、通信端末２００は、サーバ１５０から受信したログインキーを受信する。ある局面において、ログインキーは、第１アプリケーション１００１と第２アプリケーション１００２とに使用可能となる。例えば、第１アプリケーション１００１はブラウザに相当し、第２アプリケーション１００２はＨＭＤ１１０で使用されるＶＲ用のアプリケーションに相当する。ユーザー１９０が通信端末２００をＨＭＤ１１０に装着すると、ＣＰＵ２０は、通信端末２００の端子とＨＭＤ１１０の端子との接触を検知し、通信端末２００がＨＭＤ１１０に装着されたことを検知する。
【００９９】
ステップＳ１０５０にて、ＣＰＵ２０は、第２アプリケーション１００２を起動する。通信端末２００の動作モードは、通常モードからＨＭＤモードに切り替わる。
【０１００】
ステップＳ１０６０にて、ＣＰＵ２０は、注視センサ１４０からの出力に基づいて、ログインボタンが注視されていることを検知する。通信端末２００は、その検知に応答して、ユーザー情報とログインキーとをサーバ１５０に送信する。なお、ユーザー情報とログインキーとをサーバ１５０に送信するためのトリガーは、ログインボタンがユーザーによって中止されていることが検知された時に限られない。別の局面において、例えば、ユーザー１９０が操作するコントローラー（図示しない）による入力がトリガーとしても散られてもよい。さらに別の局面において、ユーザー１９０の手にハンドデバイス（図示しない）等を装着した状態で行なわれる手の動きが、当該トリガーとして使用されてもよい。
【０１０１】
ステップＳ１０７０にて、サーバ１５０は、通信端末２００からユーザー情報とログインキーとを受信すると、通信端末２００がＨＭＤモードで起動していることを認識する。サーバ１５０は、選択された動画データを通信端末２００に送信する。
【０１０２】
ステップＳ１０８０にて、通信端末２００は、サーバ１５０から動画データを受信すると、当該動画データに基づくコンテンツをＨＭＤモードで表示し、ユーザーが視聴開始となる。
【０１０３】
図１１〜図１４を参照して、通信端末２００における画面の表示態様について説明する。図１１〜図１４は、それぞれ、ある実施の形態においてモニタ３５が表示する画面の遷移の一例を表す図である。
【０１０４】
モニタ３５は、３６０度動画を提供するサイトの名称１１１０と、アカウント情報１１２０と、ログインキーの発行要求を受け付けるアイコン１１３０と、画面遷移のために使用されるアイコン１１４１，１１４２，１１４３，１１４４，１１４５とを表示する。アカウント情報１１２０は、ユーザー名とＥメールアドレスとを含む。
【０１０５】
ある局面において、ユーザーは、通信端末２００を普通に操作する。例えば、ユーザー１９０は、左手で通信端末２００を把持し、動画の配信を受けるためのサイトにアクセスするための操作を右手で行ない得る。さらに、ユーザー１９０は、ユーザー名、Ｅメールアドレスを入力し得る。このように入力操作は、通信端末２００がＨＭＤ１１０に装着される前に行なわれるので、ユーザー１９０は容易に入力操作を行なうことができる。
【０１０６】
図１２は、通信端末２００がログインキーをサーバ１５０から受信した状態を表す。図１１に示される状態で入力されたユーザー名およびＥメールアドレスは、サーバ１５０に送られる（ステップＳ１０１０）。サーバ１５０による認証（ステップＳ１０１０）が成功してログインが完了すると（ステップＳ１０２０）、通信端末２００は、ユーザー１９０の操作に基づいて、ログインキーの発行要求をサーバ１５０に送信する（ステップＳ１０３０）。通信端末２００がサーバ１５０からログインキーを受信すると（ステップＳ１０４０）、通信端末２００は、ログインキーが含まれるメッセージ１２００をモニタ３５に表示する。
【０１０７】
より具体的には、メッセージ１２００は、ログインキー「xxxxxxxx」と、命令を受け付けるアイコン１２１０，１２２０とを含む。ユーザー１９０がアイコン１２２０にタッチすると、ＨＭＤアプリ（第２アプリケーション１００２）が起動し、モニタ３５は、通信端末２００の装着を促すメッセージを表示する。
【０１０８】
具体的には、図１３に示されるように、通信端末２００は、アイコン１２２０のタッチに応答して、メッセージ１３００を表示する。メッセージ１３００は、通信端末２００のユーザーに、ＨＭＤアプリ（第２アプリケーション１００２）の実行のためには、ヘッドセット（すなわち、ＨＭＤ１１０）に通信端末２００を装着する必要があることを通知する。ユーザーが、通信端末２００をＨＭＤ１１０に装着すると、通信端末２００の動作モードは、通常モードからＨＭＤモードに切り替わる。
【０１０９】
すなわち、図１４に示されるように、通信端末２００は、ＨＭＤモードにおいて、メッセージ１４００を表示する。メッセージ１４００は、サーバ１５０から受信したログインキーが、ＨＭＤアプリ（第２アプリケーション１００２）の起動によって表示されるログイン画面の所定の欄に入力されていることを表す。アイコン１４１０は、ログイン操作の入力を受け付ける。
【０１１０】
ある局面において、ＨＭＤ１１０を装着したユーザー１９０が、その視線をアイコン１４１０に向けると、注視センサ１４０は、その視線の位置を検知する。検知結果は、通信端末２００に送られる。通信端末２００のＣＰＵ２０は、ユーザー１９０の視線がログインの指令を与えていることを検知し、ログインキーの入力を受け付ける。その後、通信端末２００は、サーバ１５０から受信した動画データをモニタ３５に表示する。ＨＭＤ１１０を装着したユーザー１９０の頭の向きに応じて、動画が表示される方向も変わる。なおー、入力のトリガーは、ユーザー１９０の視線が検知されたことに限られない。例えば、別の局面において、ユーザー１９０がコントローラーに対して予め定められた操作を実行すると、ＣＰＵ２０は、その操作を検知すると、ログインキーの入力を受け付ける。あるいは、ユーザー１９０がハンドデバイス（図示しない）を手に装着した状態で、予め定められた動作を行なうと、ログインキーの入力が受け付けられる。
【０１１１】
以上のようにして、ある実施の形態に従うと、動画の配信のようなサービスを受けるためのアカウントにログインするためのユーザー情報は、通信端末２００がＨＭＤ１１０に装着される前に入力できる。したがって、ユーザー情報の入力は、ＨＭＤ１１０に通信端末２００が装着されている場合に比べて、容易である。その後、ＨＭＤモードにおいて実際のサービスを受けるために必要な情報は、通信端末２００がＨＭＤ１１０に装着された後に入力可能となる。
【０１１２】
図１５を参照して、別の局面について説明する。第１アプリケーション１００１と第２アプリケーション１００２とは、それぞれ別個の端末によって実行されてもよい。例えば、第１アプリケーション１００１は通信端末２００によって実行され、第２アプリケーション１００２は演算機能を有するＨＭＤ１５００によって実行されてもよい。なお、ＨＭＤ１５００は、プロセッサとメモリと通信インターフェイスとを備える。ＨＭＤ１５００は、ある局面において、通信端末２００またはサーバ１５０に含まれるハードウェアを用いて実現される。したがって、ハードウェアの説明は繰り返さない。
【０１１３】
図１５は、別の局面におけるある実施の形態に従って通信端末２００とＨＭＤ１５００とサーバ１５０とによって実行される処理を表すフローチャートである。なお、前述の処理と同一の処理には同一のステップ番号が付されている。したがって、同一の処理の説明は繰り返さない。
【０１１４】
ステップ１５１０にて、通信端末２００とＨＭＤ１５００とは、ペアリング処理を行う。ペアリング処理は、例えば、Bluetooth（登録商標）その他の近距離通信によって実現される。ペアリング処理が成功すると、通信端末２００またはＨＭＤ１５００は、ペアリング処理が完了したこと、通信端末２００の識別情報とペアリング相手（ＨＭＤ１５００）の識別情報とをサーバ１５０に送信する。
【０１１５】
ステップＳ１５４０にて、ＨＭＤ１５００は、サーバ１５０からログインキーを受信する。ＨＭＤ１５００は、ログインキーを受信すると、ＨＭＤモードでの動作を開始し、第２アプリケーション１００２の所定の画面にログインキーを入力する。ＨＭＤ１５００を装着したユーザーがログインボタン（例えば、アイコン１４１０）を注視していることを検知すると、ユーザー情報とログインキーとをサーバ１５０に送信する。サーバ１５０は、ＨＭＤ１５００の起動を認識すると（ステップＳ１０７０）、通信端末２００のユーザー１９０によって選択されたコンテンツを表示するための動画データをＨＭＤ１５００に送信する。ＨＭＤ１５００を装着したユーザー１９０は、ＨＭＤモードでコンテンツを楽しむことができる（ステップＳ１０８０）。
【０１１６】
なお、別の局面において、ペアリング処理は行なわれなくてもよい。サーバ１５０は、通信端末２００とＨＭＤ１５００とが関連付けられていることを認識できればよい。
【０１１７】
以上より、開示された技術的特徴は、以下のように要約され得る。
【０１１８】
（構成１）
ある実施の形態に従うと、ＨＭＤ１１０を用いてコンテンツを提供するアプリケーションへの入力を支援するための方法が提供される。この方法は、ＨＭＤアプリケーションにログインするための画面を表示する通信端末２００のＣＰＵ２０が、アプリケーションのユーザー１９０によるユーザー識別情報の入力を受け付けるステップと、ユーザー識別情報を用いた認証が成功した場合に、アプリケーションによるコンテンツ提供サービスにログインするためのログインキーを受信するステップと、ＨＭＤ１１０を装着したユーザー１９０の視線を検出するステップと、視線がログインキーを用いたログイン指示を受け付けるログインボタン（たとえばアイコン１４１０）を視認していることに基づいて、コンテンツを管理するサーバ１５０に、ログインキーを送信するステップと、ログインキーを用いた認証が成功したとサーバ１５０によって判断されたことに基づいて、ＨＭＤモードで視聴可能なコンテンツをサーバ１５０から受信するステップとを含む。
【０１１９】
（構成２）
別の局面に従うと、構成１に加えて、ログインキーを受信するステップは、ユーザー１９０識別情報の入力を受け付けた通信端末２００が、ログインキーの発行要求をサーバ１５０に送信することと、発行要求に応答したサーバ１５０からログインキーを受信することとを含む。
（構成３）
【０１２０】
別の局面に従うと、構成１または２に加えて、ログインキーを受信するステップは、通信端末２００がログインキーを受信することを含む。当該方法は、ＨＭＤ１１０に装着された通信端末２００がコンテンツを表示するステップをさらに含む。
【０１２１】
（構成４）
別の局面に従うと、構成１または２に加えて、ログインキーを受信するステップは、ＨＭＤ１１０がログインキーを受信することを含む。当該方法は、ＨＭＤ１１０がコンテンツを表示するステップをさらに含む。
【０１２２】
（構成５）
別の局面に従うと、構成１〜４のいずれかに加えて、ユーザー１９０識別情報の入力を受け付けるステップは、ＨＭＤ１１０がユーザー１９０に装着される前に、ユーザー識別情報の入力を受け付けることを含む。
【０１２３】
（構成６）
他の実施の形態に従うと、上記のいずれかの方法をコンピュータに実行させるプログラムが提供される。
【０１２４】
（構成７）
さらに他の実施の形態に従うと、上記のプログラムを格納したメモリと、プログラムを実行するためのプロセッサとを備えるコンテンツ表示装置が提供される。
【０１２５】
以上のようにして、ある実施の形態に従うと、通信端末２００とＨＭＤ１５００とが別個の端末であっても、ユーザーは、ログイン情報を通信端末２００に容易に入力し、その後、通信端末２００をＨＭＤ１５００に装着して、コンテンツを視聴するためのデータの配信を受けることができる。このようにすれば、ログイン情報を入力する際の操作性が低下することを防止できる。
【０１２６】
今回開示された実施の形態はすべての点で例示であって制限的なものではないと考えられるべきである。実施の形態で説明された技術的思想の範囲は上記した説明ではなくて特許請求の範囲によって示され、特許請求の範囲と均等の意味および範囲内でのすべての変更が含まれることが意図される。
【符号の説明】
【０１２７】
１  仮想カメラ、２  仮想空間、５  基準視線、１０  プロセッサ、１８  基地局、１９  インターネット、２１  中心、２２  仮想空間画像、２３  視界領域、２４，２５  領域、２６  視界画像、２７  フラッシュメモリ、２８，３０４  ＲＡＭ、２９，３０９  ＲＯＭ、３０  メモリカード駆動装置、３１  メモリカード、３２  マイク、３３  スピーカ、３４  音声信号処理回路、３５，３０８  モニタ、３７，３０７  通信インターフェイス、３８  バイブレータ、３９，４３  アンテナ、４０  モジュール、４１  加速度センサ、４２  地磁気センサ、４４  通信装置、４５  入力スイッチ、４６  カメラ、１００  システム、１１４  センサ、１４０  注視センサ、１５０  サーバ、１９０  ユーザー、２００  通信端末、２２０  表示制御モジュール、２２１  仮想カメラ制御モジュール、２２２  視界領域決定モジュール、２２３  視界画像生成モジュール、２２４  基準視線特定モジュール、２３０  動画制御モジュール、２３１  仮想空間定義モジュール、２３２  動画選択モジュール、２３３  認証モジュール、２３４  動画配信モジュール、２４０  メモリモジュール、２４１  コンテンツ情報、２４３  ユーザー情報、２５０  通信制御モジュール、３０２  マウス、３０３  キーボード、３０５  ハードディスク、３０６  光ディスク駆動装置、１００１  第１アプリケーション、１００２  第２アプリケーション、１１３０，１１４１，１１４２，１１４３，１１４４，１１４５，１２１０，１２２０，１４１０  アイコン、１２００，１３００，１４００  メッセージ。
【図１】
2018063704.tif 000003
【図２】
2018063704.tif 000004
【図３】
2018063704.tif 000005
【図４】
2018063704.tif 000006
【図５】
2018063704.tif 000007
【図６】
2018063704.tif 000008
【図７】
2018063704.tif 000009
【図８】
2018063704.tif 000010
【図９】
2018063704.tif 000011
【図１０】
2018063704.tif 000012
【図１１】
2018063704.tif 000013
【図１２】
2018063704.tif 000014
【図１３】
2018063704.tif 000015
【図１４】
2018063704.tif 000016
【図１５】
2018063704.tif 000017